Podtech/llm-jp-corpus-v4-ja_patent huggingface dataset:
(57)【要約】      （修正有）【課題】入浴剤の成分、形状（粉末か液体か泡状か等）、香等については多くの種類があるが、これまでにない新しいタイプの入浴剤を提供する。【解決手段】粉末又は濃縮された液状の入浴剤を容器に入れ、湯又は水を加え、入浴剤と混合し、その液体を容器ごと冷凍庫に入れて中身全体を凍らせた入浴剤。【選択図】図１
2007051119.tif 000002
【特許請求の範囲】
【請求項１】
入浴剤を湯水で溶かし，容器に入れて凍らせてから，風呂水に入れて使用する。
【発明の詳細な説明】
【発明の詳細な説明】
【技術分野】
【０００１】  この発明は，主に入浴時間が楽しくなるよう，従来と違った入浴剤を開発するとのコンセプトのもとに考えられたものである。
【背景技術】
【０００２】  入浴剤には多くの種類がある。しかし，それは入浴剤の成分，形状（粉末か液体か泡状か等），香等についてであり，凍らせて使う物はなかった。
【発明が解決しようとする課題】
【０００３】  新たな入浴剤を開発し，入浴剤を使用者が楽しむことにより，入浴時間が楽しくなること。
【課題を解決するための手段】
【０００４】  粉末又は濃縮された液状の入浴剤を容器に入れ，湯か水を加える。容器ごと冷凍庫に入れ，容器の中身全体を凍らせる。入浴時に，容器を冷凍庫から取り出し，凍った中身を湯船に入れる。一般的な入浴剤はすぐ湯水に溶けてしまうが，この発明でできた入浴剤であれば，とけるまでに少なくとも数分間かかるので，使用者（入浴する者）は入浴剤の氷が溶けるまでの過程を楽しむことが出来る。また，沸いた風呂水の暖かさと氷の冷たさと，双方の違いを楽しむこともできる。虫さされの跡を冷やしつつ入浴することも可能である。さらに，風呂嫌いの子供にも興味を持ってもらえ，入浴を好きになってもらえると期待できる。
本発明は，以上，凍らせて使う入浴剤である。
【発明を実施するための最良の形態】
【０００５】  課題を解決するための手段と同様，入浴剤を凍らせて使うことである。
【発明の効果】
【０００６】  使用者は入浴を楽しむことが出来，それは精神の安定，健康の増進につながる。
【図面の簡単な説明】
【図１】  入浴剤を容器に入れ，凍らせたところである。
【図２】  凍らせた入浴剤を風呂に入れ，使用するところである。
【図１】
2007051119.tif 000003
【図２】
2007051119.tif 000004
(57)【要約】【課題】動物から作物の被害を防ぐ忌避剤の提供。【解決手段】動物が忌避する対象動物の排泄物から忌避物質を抽出し、或いは同様のものを化学製造した動物忌避剤を提供する。【特許請求の範囲】
【請求項１】
動物の排泄物から抽出した成分を主体とした、或いは同様成分を化学的に合成製造した動物忌避剤。
【発明の詳細な説明】
【発明の詳細な説明】
【産業上の利用分野】
【０００１】  本発明は、昨今マスメディア等で問題視されている野生動物の増加に伴う作物被害を防止するものである。
【背景技術】
【０００２】  従来、前述被害防止には、条例に於ける保護動物に対しては、柵やバリケードを配し、或いは破裂音を発する装置を設置し、それ以外では銃器及び罠を仕掛けての捕獲である。また、従来忌避剤と称する薬剤は、動物の排泄物以外の成分で製造している。従って、本発明は画期的なもので、製品化された本発明と同様のものは全く存在しない。
【発明が解決しようとする課題】
【０００３】  前述した如くの野生動物に対し、如何に安価で簡便に被害を防止するのか、或いは環境を損なわない等の事由を鑑み、間便に施行でき、尚且つ低コストで環境を損じない動物忌避剤を提供する事を課題とする。
【課題を解決するための手段】
【０００４】  上記の課題を解決するために、各動物が天敵とする、或いは忌避する対象動物を研究した結果、その対象動物の排泄物には、被対象動物が忌避する物質が存在する事を確認した。
【０００５】  この忌避物質を対象動物の排泄物から採取抽出して忌避剤を製造する。或いは抽出した忌避物質と同様な物質を科学的に合成し製造する。
【作用】
【０００６】  上記のように排泄物から抽出した成分を猪の柵内に散布したところ、一瞬臭いを嗅いだ後に逃げるが如くその場を離れ、その後は全く散布場所には近寄らなかった。
【実施例】
【０００７】  動物排泄物から抽出した動物忌避成分を、液体或いは粉体及び固体に加工し、任意の場所に散布し、あるいは設置する。
(57)【要約】【課題】  可視光照射で防汚・抗菌機能を発現する長期耐久性超はっ水・防汚・抗菌材料の実現。【解決手段】  ポリテトラフルオロエチレン粒子および可視光応答型窒素ドープ酸化チタン光触媒性粒子およびパーフルオロエチレンをフッ素樹脂、エポキシ樹脂、アクリル樹脂またはシリコン樹脂の中に分散させることにより、超はっ水性、防汚・抗菌性ならびに長期耐久性を実現させる。【特許請求の範囲】
【請求項１】
ポリテトラフルオロエチレン粒子および可視光応答型窒素ドープ酸化チタン光触媒性粒子およびパーフルオロエチレンをフッ素樹脂、エポキシ樹脂、アクリル樹脂またはシリコン樹脂の中に分散させることにより、超はっ水性、防汚・抗菌性ならびに長期耐久性を実現させたことを特徴とする複合材料。
【発明の詳細な説明】
【技術分野】
【０００１】  本発明は、屋外や屋内で種々物品に付着する水をはじき表面の汚れや細菌を分解する超はっ水・防汚・抗菌材料に関する。
【背景技術】
【０００２】  光触媒を用いた防汚材料に関しては、光触媒性酸化チタンを焼き付けたタイルやガラスが商品化され、良好な防汚性が報告されている。特開平１１−２５６１３４号公報には、この光触媒性酸化チタンを超はっ水材料中に分散させることにより、通常予想される光触媒酸化チタン添加量よりもはるかに少量の添加料で、超はっ水性と防汚性が実現できることが報告さてれている。しかしながら、この光触媒酸化チタンが光触媒性機能を発揮するためには、波長３８０ｎｍ以下の紫外線を照射する必要があるが、屋外での紫外線源である太陽光、屋内での紫外線源である蛍光灯においては、波長３８０ｎｍ以下の紫外線が含まれる割合は約３％程度にすぎず、照射した光の大部分が光触媒機能発揮に貢献しない、という欠点があった。
【特許文献１】公開特許公報平１１−２５６１３４
【発明の開示】
【発明が解決しようとする課題】
【０００３】  本発明の目的は、可視光の照射により、超はっ水・防汚・抗菌機能を発現する複合材料を提供することにある。
【課題を解決するための手段】
【０００４】  本発明を概説すれば、本発明は、ポリテトラフルオロエチレン粒子および可視光応答型窒素ドープ酸化チタン光触媒性粒子およびパーフルオロエチレンをフッ素樹脂、エポキシ樹脂、アクリル樹脂またはシリコン樹脂の中に分散させることにより、超はっ水性、防汚・抗菌性ならびに長期耐久性を実現させたことを特徴とする複合材料に関するものである。ここでポリテトラフルオロエチレン粒子は、その低い表面エネルギーと表面凹凸効果により超はっ水性を実現する。フッ素樹脂、エポキシ樹脂またはシリコン樹脂は、実用上不可欠な基盤との密着性を高める。パーフルオロエチレンは、通常のはっ水生材料の欠点である一旦水に浸水させればはっ水性が低下することを防ぐ。
可視光応答型窒素ドープ酸化チタン光触媒性粒子は、紫外線は無論のこと可視光照射によって光触媒機能を発現させ防汚・抗菌性を発揮する。これらの効果が相乗し、長期耐久性超はっ水・防汚・抗菌材料が実現する。
【発明の効果】
【０００５】  本発明によれば、超はっ水材料に可視光光触媒を添加することにより、長期耐久性超はっ水・防汚・抗菌材料を提供することができる。本発明は屋内外の種々の建築物の内外装材、更には自動車、車両等の移動体の内外装材への適用に際しても高い超はっ水・防汚・抗菌効果を発現することができる。【０００６】  例えば、マンションの室内の壁に付着する汚れは、壁表面を本発明の長期耐久性超はっ水・防汚・抗菌材料で被覆すれば、付着した汚れは、表面エネルギーの小さな超はっ水生表面を重力等によって表面を徐々に移動する。この時、汚れが移動する範囲内に油汚れを吸着する性質のある光触媒を最小限配置すれば、移動してきた汚れを分解除去することができる。さらにこの場合、光が紫外線である必要はなく蛍光灯の光によって光触媒機能が作動し、可視光光触媒酸化チタンに接触した汚れが分解する。このようにして、料理作成や喫煙などによって壁に付着した汚れは分解除去できる。【０００７】  病院の病室、手術室、集中治療室あるいは病気に対する抵抗力や免疫機能の弱い老人が居住する老人ホームなどでは、汚れのみでなく病原菌の駆除が重要なことである。本発明の超はっ水・防汚・抗菌材料で、これらの建物の部屋の壁面を被覆すれば、病原菌の増殖原因である水分を除去できるのみでなく、仮に病原菌が壁面に生成しても、蛍光灯などの可視光により光触媒機能が作動し、病原菌が分解する。
【発明を実施するための最良の形態】
【０００８】  以上の方法により、可視光光触媒の添加により、可視光照射下であっても防汚効果を発現することが可能となる。この場合は汚れの可能な範囲内に可視光光触媒粒子を必要最小限配置することが重要であるから、微細な可視光光触媒粒子が均一に分散している必要がある。光触媒粒子は平均粒径１００ｎｍ以下のものを用いるのが望ましい。同じ添加量で粒径を大きくするにつれて分散がまばらになることから汚れが移動しなくてはならない距離が増し、汚れ防止効果が低下する関係となる。
【実施例】
【０００９】  平均分子量８５００、平均粒径１μｍの四フッ化エチレン樹脂粉末８０ｗｔ％とフッ化ビニリデン樹脂にフッ化オイル（パーフルオロポリエーテル）を２ｗｔ％を加えた樹脂成分に、可視光応答型窒素ドープ酸化チタン光触媒性粒子を２．０ｗｔ％加えて酢酸ブチルで希釈し、ボールミルを用いて攪拌作製した。ここで、可視光応答型窒素ドープ酸化チタン光触媒性粒子は、三塩化チタンにアンモニア水を滴下することによって生成した沈殿物をろ過、蒸留水により洗浄後、８０℃で乾燥し、乳鉢により粉砕後、大気中で４００℃、１時間焼成することにより作成した。これらのフッ素樹脂塗料をエポキシ樹脂を主材料とするＦＲＰ板にスプレー塗装した。
【比較例】
【００１０】  実施例と同様の樹脂成分に可視光応答型窒素ドープ酸化チタン光触媒性粒子を添加しないで混合し塗料を作製し、ＦＲＰ板にスプレー塗装した。上記のサンプルについて初期接触角を測定したところ、実施例、比較例共に１５１°であった。またサラダオイルの接触角を計ったところ、いずれも１３９°であり、初期状態においては可視光応答型窒素ドープ酸化チタン光触媒性粒子の添加の有無に関わらず、いずれのサンプルもはっ水・はつ油性を発現していることがわかった。次に実施例、比較例の屋内暴露による表面の汚れの評価を行った。サンプルの暴露場所はビルの居室屋内１０μＷ／ｃｍ２の蛍光灯照射下で傾斜角４５°で行った。屋内暴露後３００日経過後、サンプルを目視観察すると酸化チタン無添加の比較例のサンプルは、汚れが認められたが、実施例１のサンプルでは可視光応答型窒素ドープ酸化チタン光触媒性粒子の添加により汚れが全く観測されなかった。
【図面の簡単な説明】
【００１１】
【図１】  図１は、本発明の長期耐久性超はっ水・防汚・抗菌材料の構成を示すものである。
【符号の説明】
【００１２】  １：可視光照射によって光触媒機能を発現させ防汚・抗菌性を発現する可視光応答型窒素ドープ酸化チタン光触媒性粒子
２：超はっ水性を発現するポリテトラフルオロエチレン粒子
３：耐親水性を高め長期耐久性を実現するパーフルオロエチレン
４：密着性を高めるフッ素樹脂、エポキシ樹脂またはシリコン樹脂
５：基盤
【図１】
2007051263.tif 000002
(57)【要約】      （修正有）【課題】昼間における蓄光性塗料の視認効果改善手段の提供。【解決手段】溝部、へこみ部へ有色下地塗料を塗布した後に、蓄光性蛍光体粉末と透明ウレタン塗料、透明クリヤーラッカー塗料又は透明水ガラス等の透明塗料とを混練し均一分散してなした透明塗料を流し込み、透明塗料の導光作用により有色下地塗料の反射光を積極的に表層部へ導き出し、有色下地塗料による発色で色彩効果をもたらし、昼間における視認、表示効果を高める。【選択図】図１
2007051260.tif 000002
【特許請求の範囲】
【請求項１】
蓄光性蛍光体粉末と透明ウレタン塗料又は透明クリヤーラッカー塗料又は透明水ガラス等の透明塗料とを混練し均一分散してなした透明塗料を、金属、非鉄金属、樹脂、木材に設けた溝部、へこみ部へ流し込む事により、素材色或いはあらかじめ塗布された有色下地塗料の反射光を、透明塗料の導光作用により表層部へ誘導し、昼間における塗料塗布部の視認色改善を図る畜光材着色方法及びその発光構造。
【発明の詳細な説明】
【技術分野】
【０００１】  この発明はアルカリ土類金属のアルミン酸塩を主成分とする蓄光性蛍光体粉末を施工する場合、昼間時の視認効果改善のための着色方法及び発色構造に関する。
【背景技術】
【０００２】  従来の蓄光性蛍光体粉末使用によるサイン、文字、ロゴ等はバインダー、インクに混練して塗布された構造、焼成され形成された構造等がある。
【発明の開示】
【発明が解決しようとする課題】
【０００３】  しかしながら以上の技術によれば、輝度を損なわず蓄光性蛍光体粉末自体の固有色を大きく変えることが難しく周囲の色との調和、コントラストの調整を計ることができず、昼間における視認効果を高めることが難しかった。
【課題を解決するための手段】
【０００４】  以上の課題を解決するために、本発明は溝部、へこみ部へ有色下地塗料を塗布して後に、蓄光性蛍光体粉末と透明ウレタン塗料又は透明クリヤーラッカー塗料又は透明水ガラス等の透明塗料を混練し均一分散してなした塗料を流し込み、透明塗料の導光作用により有色下地塗料の反射光を表層部へ導き出し、昼間では有色下地塗料による発色で色彩効果をもたらし、視認、表示効果を高める着色方法及びその発色構造である。
【発明効果】
【０００５】  本発明によれば、溝部、へこみ部へ畜光材塗料を流し込む事により、有色下地塗料の固有色を容易に表層部へ導き出し昼間における視認性を改善達成できる。
【発明を実施するための最良の形態】
【０００６】
【０００７】  本発明の実施形態を、図１に示す。
畜光材塗料を流し込みむ本体２は、金属、樹脂、木材、非鉄金属等で出来ており、溝４は彫刻、機械加工、プレス、打刻等で設ける。下地塗料５を予め塗布し乾燥後、蓄光性蛍光体粉末１は透明塗料３と混練し均一分散させ畜光材塗料としたものを、溝部４へ流し込む。
【実施形態の効果】
【０００８】  本発明によると畜光材塗料の輝度をほとんど損なわずに、有色下地部の固有色を表面へ導き出すことができ、昼間ではあたかも、有色塗料の標示物のごとく或いは畜光性蛍光体粉末との混色として視認できる。
【図面の簡単な説明】
【０００９】
【図１】本発明実施形態の断面図である。
【図２】従来技術による一実施形態の断面図である。
【符号の説明】
【００１０】    １畜光性蛍光体粉末
２設置対象本体
３透明塗料
４溝部
５有色下地塗料
【図１】
2007051260.tif 000003
【図２】
2007051260.tif 000004
(57)【要約】【課題】  解決しようとする課題は、洗面所などで行う洗顔において、洗顔した水が腕を伝って、肘や袖、さらには床を濡らしてしまうという課題。【解決手段】  水性タオル生地を材料とし、腕に密着するようにタオル生地を折りたたみその中に伸縮性ゴムひもをとおして作成した腕輪を洗顔時にひじ手前あたりに装着することにより、洗顔時に肘の方へ流れようとする水がタイル生地の腕輪に吸水され、洗顔時の水垂れを防止することができる。【選択図】    図１
2007051400.tif 000002
【特許請求の範囲】
【請求項１】
吸水性のタオル生地を使用し、伸縮性ゴムを中に通した腕輪を腕に装着し、洗顔時に腕を伝って垂れ落ち、衣類や洗顔場所周辺を濡らすことを防ぐ腕輪。
【発明の詳細な説明】
【技術分野】
【０００１】  この発明は、洗顔時に腕にとおして装着することにより、洗顔時に水などが腕を伝って垂れ落ちること防ぐことができるもので、洗顔時の衣類の濡れを防ぐとともに洗顔場所を清潔に保つことに役立つものである。
【背景技術】
【０００２】  洗顔時には、肘から垂れ落ちる水を少なくするために、極力屈むもしくは洗面器深く顔を埋めて洗顔することに水垂れを防止していたが、身体的に屈めないもしくは洗面器深く顔を埋めないなどの問題があり、その方法そのものの効果が非常に低かった。このため、タオルを腕に巻く方法、スポンジに穴を開けて腕輪にする方法や上半身を合羽のようなもので覆う水はね防止衣類などがある。
【発明の開示】
【発明が解決しようとする課題】
【０００３】  従来の方法には、次のような欠点があった。タオルを巻く方法では、いちいち両腕をタオルで縛ることから非常な手間が掛かること。スポンジ製の腕輪については、吸水性があるものの腕の太さの調整ができないことやスポンジで腕が痛くなるなどの欠点があった。また、上半身を覆う水はね防止衣類などを装着して、水垂れを防ぐ方法もあったが、衣類の濡れは防止できても、洗顔場所全体の濡れ防止には効果が低くかった。本発明は、それらの欠点を解決するために発明されたものである。
【課題を解決するための手段】
【０００４】  タオル生地を材料とし、これを２重にして腕輪のように加工し、その中に伸縮性のゴムを挿入した腕輪を装着することにより、洗顔時の衣類の濡れを防ぐとともに洗顔場所を清潔に保つことに役立つものである。さらに、伸縮性ゴムを使用することにより、腕からの腕の太さに対処でき、かつ、タオル生地であるために吸水性が高く肌への馴染みが良いことも課題を解決する手段となる。
【発明の効果】
【０００５】  本発明を使用することによって、洗顔時の不快な水垂れによる衣類の濡れを防ぐことができ、かつ洗顔場所への水の飛散を防ぐことができるため、洗面所を常に清潔に保つことができる。さらに、タオル生地を利用することにより、使用後は、水分を乾燥させることにより繰り返し使用でき、かつ、洗濯が可能であるため衛生的である。この他、デザインタオルを使用する、周囲にレース生地をつけるなどのデザイン性を持たせることも可能であり、また、非常に小さくなる携帯性があり、旅行先などに持ち歩くこともできる。
【発明を実施するための最良の形態】
【０００６】  本発明の実施の形態について説明する。タオル生地を腕の太さを考慮し、長方形に加工し、その生地を２つ折りにし、重なり部を縫い、重なり部ではない折り目のほうに伸縮性ゴムを通して輪にし、最後に全体が輪になるようにタオル生地の両端を縫い合わせる。本発明は以上のような構造で、洗顔する際には、それを両方の腕の肘に近いあたりに装着する。これにより、いままで腕からの水垂れを防ぐことができる。
【図面の簡単な説明】
【０００７】
【図１】本発明の使用状況を示す図である。
【図２】本発明を構成する材料の説明である。
【図３】本発明の正面図である。
【符号の説明】
【０００８】１  腕
２  腕通し穴
３  タオル生地
４  伸縮性ゴム
５  縫い目
【図１】
2007051400.tif 000003
【図２】
2007051400.tif 000004
【図３】
2007051400.tif 000005
(57)【要約】【課題】現在家具類ガラス扉安全防止対策として、販売されている薄い樹脂フイルムでは、陶器類の飛出す衝撃で、扉のガラスが、飛散り人身事故につながり危険である。【解決手段】家具内の陶器類飛出しの衝撃に耐える、厚い樹脂板を使用することで確実に安全を確保することが出来る。家具類扉カラス割れ防止。【選択図】図１
2007051519.tif 000002
【特許請求の範囲】
【請求項１】
地震時陶器類飛出しの、衝撃に耐える為に、家具類扉のガラスと樹脂板の間に空間層を作り、衝撃で樹脂板とガラスが接触しないように樹脂板を取付けることで、扉のガラスが割れないことが特徴とする。
家具類扉ガラス割れ防止。
【請求項２】
地震時の、衝撃に耐えるシズミの少ない強度を持った樹脂板を、家具類扉裏側の木枠に両面テープで接着することが特徴とする。
家具類扉ガラス割れ防止。
【請求項３】
地震時、陶器類飛出しの衝撃に耐える為に、ガラスと樹脂板の間に空間層を設け、衝撃でガラスに接触をしないこと、また衝撃でシズミの少ない、厚い樹脂板を取付けることで、扉のガラスが割れないことが特徴とする。
請求項１，２記載の家具類扉ガラス割れ防止。
【発明の詳細な説明】
【技術分野】
【０００１】本発明は、地震時の大きな揺れに対して、家具内の陶器類が飛出した衝撃で、ガラス扉のガラスが絶対割れないことを目的とする。
家具類扉ガラス割れ防止に関するものである。
【背景技術】
【０００２】地震時大きな揺れに対して現在販売されている、薄い樹脂フイルムでは家具類扉ガラスの割れを防ぐことはできない。例えば、家具類扉ガラス裏側ガラス面に、０．１ｍｍ〜０．２ｍｍ薄い樹脂フイルムを水での接着なので家具内陶器類の飛出しで、ガラス扉に激突すると、ガラスは外部に飛散り人身事故を起こす危険が大きい。【０００３】地震時の大きな揺れで、家具内陶器類の衝撃に耐えるガラス扉の対策はまだ現状では信頼できる良い物がない。
【発明が解決しょうとする課題】
【０００４】解決課題として、現在販売されている樹脂フイルムでは薄いために衝撃に弱く地震に対して信頼性がない、また薄いフイルムなのに価格も高く一般家庭では金額的負担も大きい。
【０００５】また、子供女性でも、簡単に取付けが出来ること、構造が理解できること一般家庭の人達に経済的に負担をかけない価格にすること。
【０００６】大きな地震が来て陶器類が飛出し、衝撃にも確実に耐え、安全を確保することを目的とする。
【問題を解決するための手段】
【０００７】解決手段は、家具内陶器類飛出しの衝撃に耐える、厚い樹脂板を使用することで、ガラスの割れの問題は解決される。家具類扉ガラス割れ防止。
【０００８】樹脂板の取付けには、家具扉裏側のガラス扉木枠に、発泡フォム両面テープで樹脂板を接着する、またガラスと樹脂板の間に７ｍｍ〜１２ｍｍの空間層が出来ることで、樹脂板に衝撃が起きても、樹脂板とガラとの、接触が無くガラスが割れることがない、またガラス扉内部の空間層は密閉されているので、ホコリや汚れがなく清潔に保てる。家具類扉ガラス割れ防止。
【発明の効果】
【０００９】本発明は、地震時大きな揺れで家具類扉内の、陶器類の飛出しで  扉樹脂板に激突しても、衝撃を吸収することで扉ガラスには接触がなく割れることがない、信頼性も高く、一般家庭で安心して使用できる。家具類扉ガラス割れ防止。
【００１０】取付けは簡単で女性子供でも取付けができる樹脂板の外周に貼ってある両面テープの片側の紙を剥がしてガラス扉裏側木枠に画ビヨ２本を刺して樹脂板の位置を決め手で押付け接着する。
【発明を実施するために最良の形態】
【００１１】実施形態図１を説明する。樹脂板１の外周に幅８ｍｍ角度１５度前後の面取り２を加工、角部にＲ型３を加工、樹脂板とガラス扉木枠の接着は発泡フオーム両面テープ４を接着する。家具類扉ガラス割れ防止。
【００１２】図２を説明、樹脂板１ｂに発泡フォム両面テープ４ｂで扉木枠２ｂを接着また、ガラス３ｂと樹脂板１ｂの間に空間層５ｂができる。
【００１３】図３  家具扉裏側木枠に樹脂板が両面テープで接着され陶器類が整理整頓されている地震前の断面図を示す。
【００１４】図４地震時陶器類が飛散り樹脂板に激突するが樹脂板はガラスに接触がないので割れることがない地震時の断面図を示す。
【００１５】図１の樹脂板の材質は塩ビ板〜アクリル板〜ボリカーボネイト板を使用条件で使分ける。板厚は１ｍｍ〜５ｍｍを使用条件で使分ける色は透明又は  薄い原色を使用する。
【図面の簡単な説明】
【図１】  加工樹脂板            正面図
【図２】  扉木枠に樹脂板接着    正面図と断面図
【図３】  地震前                側面断面図
【図４】  地震時                側面断面図
【符号の説明】
１        樹脂板
２        外周１５度面取り加工
３        角部Ｒ型加工
４        発泡フォム両面接着テープ
１ａ      家具棚本体
２ａ      扉木枠
３ａ      ガラス
４ａ      樹脂板
５ａ      発泡フォム両面接着テープ
６ａ      衝撃受けシズミが出た樹脂板
７ａ      陶器類
８ａ      空間層
１ｂ      樹脂板
２ｂ      扉木枠
３ｂ      ガラス
４ｂ      発泡フォム両面接着テープ
５ｂ      空間層
【図１】
2007051519.tif 000003
【図２】
2007051519.tif 000004
【図３】
2007051519.tif 000005
【図４】
2007051519.tif 000006
(57)【要約】【課題】便器掃除ブラシを衛生的に収納するために、ブラシが収納できる洋式便器を提供する。【解決手段】洋式便器の本体（１）にブラシ収納ポケット（２）を設けたことを特徴とする。【選択図】    図１
2007051525.tif 000002
【特許請求の範囲】
【請求項１】
洋式便器の本体（１）にブラシ収納ポケット（２）を設け、その中にブラシを収納できる便器。
【発明の詳細な説明】
【発明の詳細な説明】
【技術分野】
【０００１】  この発明は、洋式便器にブラシ収納ポケットを設けた、ブラシが収納できる便器に関するものである。
【背景技術】
【０００２】  従来の洋式便器は、本体にブラシを収納できる形状はなかった。
【発明が解決しようとする課題】
【０００３】  これは次のような欠点があった。
（イ）従来の洋式便器は、ブラシを別におく形になるのでブラシ入れが別に必要だった。
（ロ）便器を掃除後ブラシをブラシ入れにもどすさい、水を良くきっていないと水だれをしていた。
（ハ）ブラシ入れに水が溜るので衛生的ではなかった。
本発明は、これら欠点をなくすためになされたものである。
【課題を解決するための手投】
【０００４】  洋式便器の本体（１）にブラシ収納ポケット（２）を設ける。
本発明は、以上の構成よりなるブラシの収納ができる洋式便器である。
【発明を実施するための最良の形態】
【０００５】
【０００５】  以下、本発明の実施の形態について説明する。
洋式便器本体（１）にブラシ収納ポケット（２）設ける。ブラシ収納ポケットに溜った水は便器内に流れるように穴を設ける。
本発明は、以上のような構造でトイレ使用後はブラシが近いのですぐに使える使用後の水たれの心配もなくなり、とても衛生的になる。
【発明の効果】
【０００６】  近くにブラシがあるのですぐに掃除ができる、ブラシの水たれの心配がなくなり衛生的になる、ブラシ入れ容器が必要なくなる。
【図面の簡単な説明】
【図１】    本発明の斜視図である。
【図２】    ブラシ収納ポケット（２）を明細にした図である。
【符号の説明】
１    洋式便器本体
２    ブラシ収納ポケット
３    ブラシの取っ手
【図１】
2007051525.tif 000003
【図２】
2007051525.tif 000004
(57)【要約】【課題】従来より、田畑への灌漑用水路の堰板は、用水路の幅が場所により異なるため、堰板の廉価な既製品は無く各農家で独自に作っている。しかし精度や材質の面から逃げ水も多く、水路への着脱作業に時間がかかり大変不便である。この解消を課題とする。【解決手段】堰板の本体板面１をアーチ形に湾曲させ、そのアーチ形の内側に伸縮機能を設ける。これを伸縮することでアーチ形の半径が変ることにより、堰板の縦幅寸法を調節でき水路の幅に適合できる。更に本体板面１の左右端面と最下部に弾性体を装備し、堰板と水路面との密着度を高め逃げ水を防止する構造とする。【選択図】  図３
2007051523.tif 000002
【特許請求の範囲】
【請求項１】
（イ）本体板面１をアーチ形に湾曲させ、その内径面にアーチ形の半径を変えるため        の伸縮機能を設ける。
（ロ）本体板面１の左右両端面に弾性体５、及び下部に弾性体６を装備する。
以上のごとく構成された灌漑用水路堰板
【請求項２】
伸縮機能が雄ネジ２と雌ネジ３である請求項１の、灌漑用水路堰板。
【請求項３】
伸縮機能がバンド８である請求項１の、灌漑用水路堰板。
【発明の詳細な説明】
【技術分野】
【０００１】  本発明は、灌漑用水路の堰板に関するものであり、特に農業用水路など水路の幅がそれぞれ違う場合に、堰板の幅寸法を調節して水路幅に適応するようにしたものである。
【背景技術】
【０００２】  従来は、アーチ形で幅寸法を自在に調節できる灌漑用水路堰板はなかった。
【発明の開示】
【発明が解決しようとする課題】
【０００３】  従来より、田畑への灌漑用水路の川幅が場所により異なるため、堰板の既製品はなく農家独自でコンパネ、鉄板、板などでそれぞれの水路の幅に合わせて作っている。しかし寸法精度や硬い材質のため水路面との密着が悪く逃げ水が多い。そこで堰板とビニールや土を併用して逃げ水を防いでいる。特に稲作期間中はこの作業を何回も行う必要があり非常に不便である。本発明はこのような不便を解消することを課題とする。
【課題を解決するための手段】
【０００４】  この課題を解決するための請求項１の発明は、水を堰きとめる本体の板面をアーチ形に湾曲させておき、その内径面の両側縦方向に一対の補強桟を設ける。この補強桟を伸縮機能部で連結し、補強桟の間隔を変えることでアーチ形の半径が変り、従って本体板面の幅寸法を調節出来る。更に本体板面の左右及び最下部には弾性体を取り付ける。これにより堰板と水路の各面との密着性が高くなり逃げ水を防止出来る。【０００５】  更に、請求項２の発明は請求項１の伸縮機能部が、右ネジ、左ネジを一体にした雄ネジと補強桟に取り付けた左右の雌ネジとの構成で、雄ネジを回転することで補強桟の間隔を変え、本体板面の幅寸法を調節する構造である。【０００６】  次に、請求項３の発明は、請求項１の伸縮機能部がバンドで調節するもので、アーチ形の半径を変え本体板面の幅寸法を縮小する場合はバンドを締める。幅寸法を拡大する場合はバンドを緩めると本体材質の曲げ応力により拡大する構造である。
【発明の効果】
【０００７】  本発明により、それぞれに水路幅の異なる灌漑用水路に対し、最適な幅寸法の堰板を確保できる。伸縮機能部は中央に一箇所でも良いが、上下二箇所に設けることで堰板の上部と下部の幅寸法変えることが出来る、従って上幅と底幅が違う水路にも適応する。更に側面及び下部の弾性体により、水路面との密着性も良く逃げ水防止の手間も掛からず、水路への設置及び取り外しが簡単で便利である。
【発明を実施するための最良の形態】
【０００８】  （イ）図１のごとく、本体板面１を予めアーチ形に成型しこの幅を最大幅とする。更にアーチ形半径を変えると、本体板面１の端面と水路側壁面との接触角度が変るので、両側面を適当な幅で適当な角度に曲げる。このアーチ形内径面の両側縦方向に補強桟４を設ける。この補強桟４に伸縮機能部の雄ネジ２とセットの雌ネジ３を可動状態に段付きボルトで組み込む。本体板面１の素材は曲げ応力のある樹脂が良い。
（ロ）図２は、堰板と水路面との間からの逃げ水を防止するため、本体板面１の左右端面に弾性体５と、下部端面に弾性体６を接着、あるいわリベット止めする。弾性体はゴムかスポンジが適している。【０００９】  図３は、伸縮機能部をバンドにした場合で、左右の補強桟４に握り手７を設けその上下をバンド８で連結し、トライグライド９で伸縮調節する。素材はバンドが化繊かゴム、トライグライドは樹脂が適当である。【００１０】  尚、図３のバンド８をのけた状態でも、左右の握り手７を持ち人力で引き寄せる事で伸縮機能の働きをする。
【産業上の利用可能性】
【００１１】  本発明に係る灌漑用水路堰板は、工業的に量産可能であり、産業上の利用可能性を有する。
【図面の簡単な説明】
【００１２】
【図１】  本体板面及び伸縮機能部がネジ式の平面図である。
【図２】  本体板面及び伸縮機能部がネジ式の背面図である。
【図３】  本体板面及び伸縮機能部がバンド式の背面から見た立体図である。
【図４】  堰板を灌漑用水路に設置した状態の平面図である。
【図５】  堰板を灌漑用水路に設置した状態の背面図及び水路の断面図である。
【符号の説明】
【００１３】  １  本体板面                                        ２  雄ネジ
３  雌ネジ                                          ４  補強桟
５  弾性体（側面）                                  ６  弾性体（下部）
７  握り手                                          ８  バンド
９  トライグライド（長さの調節とストッパー機能）  １０  灌漑用水路の側壁
１１  灌漑用水路の底面                  １２  灌漑用水路の堰板を差し込む縦溝
１３  田畑に水を導入するための水口
【図１】
2007051523.tif 000003
【図２】
2007051523.tif 000004
【図３】
2007051523.tif 000005
【図４】
2007051523.tif 000006
【図５】
2007051523.tif 000007
(57)【要約】      （修正有）【課題】水と風のエネルギーを利用して暖め又は冷やすことのできるビル又は戸建住宅を提供する。【解決手段】ビルの屋上又は地下に貯水の出来るタンクを設けて雨水をため、それをビルの外壁の内部に配管したパイプにより緩やかな勾配で循環させて外壁の持つ熱と水の持つ熱を熱交換させ、屋内の気温をさげたり又は暖めたりするとともに、屋上又は地下のタンクに雨水の貯水が出来ることにより豪雨による洪水も減らすことが出来る装置とする。【選択図】図１
2007051528.tif 000002
【特許請求の範囲】
【請求項１】
ビルの屋上に雨水用の高さ１メートル程度のタンクを設け雨水をためる
その水をサヤ管工法又は被服ステンレスでビルの躯体の中に配管をする取水口をタンクの下部に設け戻り管を５０センチ程上部に設ける其れにより水の自然循環が起きビル全体が夏涼しく冬暖かく出来る又雨量の少ない
時期は水道水を補給する保水が出来るビル
其のことにより豪雨による洪水も解消するビルを林に街を森に変えることが出来る保水が出来るビル及び戸建住宅
【発明の詳細な説明】
【技術分野】
【発明の効果】
【０００１】本発明はビル又は戸建住宅に於いて水と風のエネルーギーを利用して暖める又は冷やすことが出来ることである
【発明を実施するための最良の形態】
【０００２】以下本発明の実施の形態を説明する
（イ）雨水を集める為の屋上のタンク（１）
（ロ）水を循環させるパイプ（２）
本発明を使用するときは屋上に設けたタンクに雨水を貯めコンクリートに打ち込みをされたパイプに水を入れるだけである叉使用するパイプは被覆鋼管又は被覆ステンレス管ポリ管による
【図面の簡単な説明】
【０００３】
【図１】本発明の外壁立面図
【符号の説明】
【０００４】１補給水口
２返却水口
３冷水出口
４ステンレス又はＦＲＰタンク
５防虫網
６耐震防火用バルブ及び出水口
７循環水配管２０Ａ被覆鋼管又は１０Ａ  被覆ステンレス管
サヤ管の中に１０Ａのポリパイプ
８冬夏切り替えバルブ
９雨水流入口
１０地下水層水道水補給口
１１地価水槽
１２加圧ポンプ
１３フートバルブ
１４建物
【図１】
2007051528.tif 000003
【手続補正書】
【提出日】平成18年1月10日(2006.1.10)
【手続補正１】
【補正対象書類名】明細書
【補正対象項目名】全文
【補正方法】変更
【補正の内容】
【発明の詳細な説明】
【技術分野】
【０００１】    本技術は保水が出来るビル又は戸建住宅
【背景技術】
【０００２】従来ソーラー等で温水を造る  又は電気を造る技術  又は電気  ガスを熱源とする床暖房などの技術がありました
【特許文献１】
【発明の開示】
【発明が解決しようとする課題】
【０００３】夏はクーラーを大勢の方が使いますがしかしその室外機による熱が外気温をより高くします本発明は水を外壁のなかを循環させることにより外壁を冷やし又冬季は地下の貯水槽の地熱により暖められた水を循環させることにより外壁を暖める
【発明の効果】
【０００５】本発明はビル又は戸建住宅に太陽と風と地熱を使い冷やされ又は温められた水を外壁に循環させることにより室温を下げたり暖めたりすることが出来ることである
【発明を実施すための最良の形態】
【０００６】以下本発明の実施の形態を説明する
（イ）雨水を貯めるための屋上のタンク  （１）
（ロ）水を循環させるパイプ  （２）
本発明を使用するときは屋上に設けたタンクに雨水をため  外壁に打ち込み去れたパイプに水を循環させるだけである  又使用するパイプは被覆鋼管  被覆ステンレス  ポリ管による
【図面の簡単な説明】
【０００７】
【図１】    本発明の外壁立面図
【符号の説明】
【０００８】１補給水口
２返却水口
３冷水出口
４ステンレス  又はＦＲＰタンク
５防虫網
６耐震防火用バルブ及び出水口
７循環水配管
８冬夏切り替えバルブ
９雨水流入口
１０地下水層水道水補給口
１１地下水層
１２加圧ポンプ
１３フートバルブ
１４建物
【手続補正２】
【補正対象書類名】特許請求の範囲
【補正対象項目名】全文
【補正方法】変更
【補正の内容】
【特許請求の範囲】
【請求項１】
ビルの屋上に雨水用の高さ１メートルほどのタンクを設け雨水をためる
その水をサヤ間工法又は被覆ステンレス管又は被覆鋼管でビルの外壁の中に配管されたパイプへと流す  夏はタンク下部の取水口から外壁の中の配管へ水が流れその水は外壁その水は暖められ軽くなるためのぼり勾配の配管で外壁の中を暖められながら昇りタンク上部の返却水口へと戻ることにより水は循環をはじめ外壁を冷やす
冬は地下水槽で暖められた水を昇り勾配から加圧ポンプで送り水槽絵と戻すことにより外壁を暖める  木のように水を保水して温度を調節できる
ビルを林に  街を森に変えることが出来る保水が出来るビル又は戸建住宅
(57)【要約】【課題】  従来の枠組壁工法による寄棟屋根を隅トラスと隅トラス受け屋根トラス梁で構成する場合の隅トラス下部が隅トラス受け屋根トラス梁下弦材から離れていくのを防ぐ金物がない。【解決手段】  真束のないフィンクやハウトラス等の形状をした隅トラス受け屋根トラス梁と屋根トラス間に設ける中央ボード受け材を活用する。  お互いに離れようとする２本の隅トラスを本発明の金物翼部と胴部で緊結をする。  隅トラスが隅トラス受け屋根トラス梁から離れようとする力に対し屋根トラス中央のボード受け材に金物頭部を取付ける。隅トラスが離れようとするとボード受け材が隅トラス受け屋根トラス梁下弦材の側面を押すことになり隅トラスが離れるのを防ぐ。  本発明の金物がトラスの持つ高耐力性能を発揮させ安全確実容易に施工できる。【選択図】  図２
2007051524.tif 000002
【特許請求の範囲】
【請求項１】
凸形の頭部１、胴部２、翼部３のそれぞれに釘穴４を備えた薄板鉄板の両翼を内側に４５度折り曲げ、頭部を外側に９０度折り曲げた金物。
【請求項２】
請求項１の金物両翼部の一部に切り目７ａ，７ｂを入れ両翼部を上部３ａ，３ｂと下部３ｃ，３ｄに分け、下部を更に４５度内側に折り曲げた金物。
【発明の詳細な説明】
【技術分野】
【０００１】  本発明は、枠組壁工法の強度性能向上に関する。
【背景技術】
【０００２】  従来の木造寄棟屋根、特に枠組壁工法屋根トラスによるものは、数本の平頂トラスと隅木による方法が一般的である。【０００３】  この方法は、平頂トラスと隅木の仕口が複雑困難である。【０００４】  隅トラスとこれを受ける屋根トラス梁による寄棟方法は単純である。【０００５】  隅トラス下弦材と隅トラス受け屋根トラス梁下弦材との結合は、羽子板ボルトか釘打ちのみで金物によらない。【０００６】  釘打ちのみは耐力不足、羽子板ボルトによる場合は、隅トラス受け屋根トラス梁下弦材に穴を２ヶ所接近して明けるため下弦材に有害な断面欠損が生じる。
【発明の開示】
【発明が解決しようとする課題】
【０００７】  隅トラス頂部と隅トラス受け屋根トラス梁頂部は、両トラス共下がる傾向があり各頂部は押し合い、開き止め金物がなくても頂部接合部が開くことはない。【０００８】  隅トラス下弦材と隅トラス受け屋根トラス梁下弦材との結合部は、隅トラスの下部が隅トラス受け屋根トラス梁下部から離れる傾向がある。【０００９】  釘打ちのみでは、離れる傾向を防止できなく、隅トラス下弦材と隅トラス受け屋根トラス梁下弦材にボードを直張りする場合、ボードに亀裂が生じる。
【課題を解決するための手段】
【００１０】  本発明金物は、合板ガゼットやネイルプレート接合による木造トラスとする。【００１１】  隅トラス受け屋根トラス梁の形状は、真束のないフィンクトラスなどに適応する。【００１２】  本金物翼部の釘打ちと胴部釘打ちにより隅トラスと隅トラスがお互いに引っ張り合い隅トラスと隅トラスが離れるのを防ぐ。【００１３】  隅トラス下弦材が隅トラス受け屋根トラス梁下弦材から離れるのを防止するには、隅トラス受け屋根トラス梁下弦材と屋根トラス下弦材の間に屋根トラススパン中央にボード受け材を設け、この上部に本金物の頭部を釘にて取付ける。【００１４】  隅トラスが離れようとする力に対し、本金物が取付けられたボード受け材が隅トラス受け屋根トラス梁下弦材側面を押すことになり、離れなくなる。
【発明の効果】
【００１５】  上述したように本発明の金物は、隅トラス受け屋根トラス梁下弦材に羽子板ボルトによる断面欠損させることなく隅トラスの開きを防止できる。【００１６】  金物を天井面に取付けないため天井にボード類を張る妨げとならない。【００１７】  請求項２は、寄棟部分の天井根太が隅トラス受け屋根トラス梁に直交する場合、天井根太取付けを容易にする。【００１８】  施工が迅速容易、強度性能が安定確実で、経済的である。
【発明の実施するための最良の形態】
【００１９】  以下，本発明の実施の形態を図１〜５に基づいて説明する。
【００２０】  凸形薄板鉄板の頭部１、胴部２、翼部３で構成する。
【００２１】  頭部の幅は３５ミリメートル程度、釘本数は３本以上とする。
【００２２】  頭部の釘は、隅トラス受け屋根トラス梁下弦材を避け、ボード受け材のみとする。
【００２３】  胴部の幅は４０、高さ８５ミリメートル程度、釘の本数は２本以上とする。
【００２４】  翼部の釘は左右各３本以上、高さ８５ミリメートル程度、幅１００ミリメートル以上とする。
【００２５】  頭部は、胴部に対して境界線５を折り目として９０度外側に折り曲げる。
【００２６】  左右翼部は、胴部に対してそれぞれ境界線６ａ、６ｂを折り目として４５度内側に折り曲げる。
【００２７】  請求項２の金物は、左右翼部の一部に切り目７ａ、７ｂを入れ上部３ａ，３ｂ下部３ｃ，３ｄに分け、胴部に対し上部は４５度、下部は９０度内側に折り曲げる。
【００２８】  この金物は、天井根太が隅トラス受け屋根トラス梁下弦材に直交する場合に使用する。
【００２９】  金物の取付けは、ボード受け材の上部に金物頭部を乗せ釘にて取付ける。
【００３０】  次ぎに、隅トラス下弦材、隅トラス受け屋根トラス梁下弦材に金物を釘にて取付ける。
【００３１】  請求項２の金物は、翼部下部３ｃ、３ｄと天井根太を最後に釘にて取り付ける。
【図面の簡単な説明】
【００３２】
【図１】  本発明の実施形態を示す金物の加工図
【図２】  同金物の斜視図
【図３】  同請求項２の金物加工図
【図４】  同金物の斜視図
【図５】  請求項１の金物取り付け説明図
【符号の説明】
【００３３】１    凸形薄板鉄板の頭部
２    凸形薄板鉄板の胴部
３    凸形薄板鉄板の翼部
３ａ  凸形薄板鉄板の左翼上部
３ｂ  凸形薄板鉄板の右翼上部
３ｃ  凸形薄板鉄板の左翼下部
３ｄ  凸形薄板鉄板の右翼下部
４    釘穴
５    頭部と胴部の境界線
６ａ  胴部と左翼部の境界線
６ｂ  胴部と右翼部の境界線
７ａ  左翼切り目
７ｂ  右翼切り目
８    本発明の金物
９    隅トラス受け屋根トラス梁下弦材
１０  屋根トラス下弦材
１１  隅トラス束材
１２  隅トラス下弦材
１３  ボード受け材
１４  天井根太
【図１】
2007051524.tif 000003
【図２】
2007051524.tif 000004
【図３】
2007051524.tif 000005
【図４】
2007051524.tif 000006
【図５】
2007051524.tif 000007
(57)【要約】      （修正有）【課題】回転扉に於ける最大開口部の確保、及び蝶番を利用した安全性の確保。【解決手段】扉１４の数を３枚とし、１ブースの許容面積を大きくし、進入・退出箇所の有効開口幅２０を広く確保するために各扉の外端部にヒレ１８をつけた。また、回転扉の安全性確保のために、各扉体１４を蝶番にて接続し永久磁石で状態を保持した複数枚の構成体１６，１７で構成し、異物による圧力・負荷が生じた場合に最外縁部が自動的に折れ曲がって解放する。【選択図】図１
2007051526.tif 000002
【特許請求の範囲】
【請求項１】
回転扉に於いて、対向設置した２つの円弧状胴壁の出入口の有効開口幅を確保するために各扉体の最外端縁側に回転方向とは反対側に湾曲状のヒレの形状の部材を使用します。
【請求項２】
回転扉の各扉体は複数枚の構成体を蝶番で接続したものといたします。蝶番は回転方向と反対方向に折れるように取り付けます。
【請求項３】
回転扉の各扉体の複数枚が接する箇所に、センサーを取り付けます。異物による圧力・負荷を確認し各扉体の内、構成体が折れて開放した場合、センサーが働き回転扉の動きを解放いたします。これにより前進後退が容易に可能となり、安全の確保と復旧のための発報が行われ大きな事故を未然に防ぐことが可能となります。
【請求項４】
回転扉の各扉体の蝶番で接続された複数枚の構成体の接続には、永久磁石を使用します。これにより、異物による圧力・負荷を確認し安全扉対が折れて開放した場合でも、復旧を比較的容易にすることが出来ます。
【発明の詳細な説明】
【技術分野】
【０００１】  本発明は回転扉設置により利用者に与え続けてきた不快感を払拭するため、及び回転扉が過去に与えてきた数々の挟み込み事故を未然に防ぐことに有効な技術に関する。
【背景技術】
【０００２】  回転扉が外部と内部を隔てる風除室を兼ね備える役目をする必要がある場合、どうしても回転扉体の枚数を少なくすると入退去の為の開口部の有効幅を制限しなければならなかった。また、このために回転扉体の枚数を多くすると、利用可能な水平投影面積が制限され通行利用に圧迫感や不快感を生じる基となっている。【０００３】  安全面では、多くが感知センサーに頼っている。そしてその精度を向上させるために感知センサーの品質向上、もしくは同感知センサーの設置数を増やして対応するなど、幾多の方法が検討されてきた。
【発明が解決しようとしている課題】
【０００４】  回転扉の設置により、利用者に圧迫感・不快感を感じさせ無いように。且つ、安全に利用頂くことを目的とするものである。
【０００５】  また、回転扉が引き起こしてきた挟み込み事故を未然に防ぐことを目的とするものである。
【課題を解決するための手段】
【０００６】  本発明は、上記目的を達成するために回転扉の扉体の枚数を３枚とし、各扉体の最も外側の端縁部を湾曲状のヒレ状にすることで入退の為の開口部の有効幅を広く確保しても、風除効果を失うことがない構造とすることが可能である。
【０００７】  また、各扉体を蝶番付きの複数枚を構成体とすることにより、各扉体が異物による圧力・負荷が生じた場合に自動的に折れて開放することにより圧迫事故を回避することが可能である。
【図面の簡単な説明】
【０００８】
【図１】本発明が適用される３枚扉の回転扉全体の状況を平面図として表している。
【図２】本発明が適用される４枚扉の回転体全体の状況を平面図として表している。
【図３】回転扉の各扉体の通常使用時の構成体の平面図である。
【図４】回転扉の各扉体の通常使用時の構成体の立面図である。
【図５】回転扉の各扉体の異常感知時の構成体の平面図である。
【図６】回転扉の各扉体の異常感知時の構成体の立面図である。
【図７】回転扉の各扉体の構成体を接続する蝶番の使用例（平面図）である。
【図８】回転扉の各扉体の構成体を接続する蝶番及び永久磁石の使用例（立面図）である。
【符号の説明】
【０００９】１１    建物等の壁１２    対向設置した２つの円弧状胴壁１３    対向設置した２つの円弧状胴壁１４    回転扉の構成体からなる各扉対の全体１５    回転扉の各扉体の軸心１６    回転扉の各扉体の構成体の一部１７    回転扉の各扉体の構成体の最外部１８    回転扉の各扉対の構成体の最外部に利用された湾曲状のヒレの形状部材１９    回転扉の各扉対の回転方向２０    回転扉の入口の有効開口部２１    回転扉の出口の有効開口部
【００１０】５１    建物等の壁５２    対向設置した２つの円弧状胴壁５３    対向設置した２つの円弧状胴壁５４    回転扉の構成体からなる各扉対の全体５６    回転扉の各扉体の構成体の一部５７    回転扉の各扉体の構成体の最外部５９    回転扉の各扉対の回転方向
【００１１】４１    回転扉の各扉体の構成体の一部（平面図））４２    回転扉の各扉体の構成体の最外部（平面図））
【００１２】３１    回転扉の各扉体の構成体の一部（立面図））３２    回転扉の各扉体の構成体の最外部（立面図））
【００１３】６１    蝶番（各扉体の構成体を接続）の平面図
【００１４】７１    蝶番（各扉体の構成体を接続）の立面図７２    板状の永久磁石を使用して各扉体の構成体を接続する立面図７３    蝶番に支持されて開放されたときの、設置された感知センサー
【図１】
2007051526.tif 000003
【図２】
2007051526.tif 000004
【図３】
2007051526.tif 000005
【図４】
2007051526.tif 000006
【図５】
2007051526.tif 000007
【図６】
2007051526.tif 000008
【図７】
2007051526.tif 000009
【図８】
2007051526.tif 000010